(57)【要約】【課題】収容空間を上下に積層しつつ、内容物の取り出しが容易なコンパクト容器を提供する。【解決手段】本発明のコンパクト容器１００は、第１収容空間Ｓ１を形成する上容器３０と、上容器３０の下方に設けられ第２収容空間Ｓ２を形成する下容器１０と、第１収容空間Ｓ１を開閉可能に上方から覆う蓋体４０とを有するコンパクト容器１００であって、上容器３０は下容器１０に対して水平方向にスライド可能であり、スライドにより第２収容空間Ｓ２は上方に開放され、上容器３０、下容器１０、及び蓋体４０には、それぞれ磁石又は強磁性体部材が配設され、上容器３０及び下容器１０の少なくともいずれか一方には磁石が配設され、上容器３０及び蓋体４０の少なくともいずれか一方には磁石が配設されていることを特徴とする。【選択図】図５
2018140085.tif 000002
【特許請求の範囲】
【請求項１】
内容物の第１収容空間を形成する上容器と、
該上容器の下方に設けられ内容物の第２収容空間を形成する下容器と、
前記第１収容空間を開閉可能に上方から覆う蓋体と
を有するコンパクト容器であって、
前記上容器は前記下容器に対して水平方向にスライド可能であり、該スライドにより前記第２収容空間は上方に開放され、
前記上容器、前記下容器、及び前記蓋体には、それぞれ磁石又は強磁性体部材が配設され、
前記上容器及び前記下容器の少なくとも一方には前記磁石が配設され、
前記上容器及び前記蓋体の少なくとも一方には前記磁石が配設されている、コンパクト容器。
【請求項２】
前記第１収容空間は、前記蓋体を後部に設けた回動軸周りに回動させて後方に移動させることにより開放状態となり、
前記第２収容空間は、前記上容器が前記下容器に対して後方へスライドすることにより開放状態となる、請求項１に記載のコンパクト容器。
【請求項３】
前記上容器、前記下容器、及び前記蓋体にそれぞれ配設される前記磁石又は前記強磁性体部材は、第１収容空間Ｓ１及び第２収容空間Ｓ２の閉塞時において、平面視で重なりが最大となるように配設されている、請求項１又は２に記載のコンパクト容器。
【請求項４】
前記上容器、前記下容器、及び前記蓋体の少なくともいずれかに配設されている前記磁石は、上下方向に着磁されている、請求項１乃至３のいずれか一項に記載のコンパクト容器。
【請求項５】
前記上容器の底部には、前記下容器の上面から突出する突部にアンダーカット係合することにより、前記上容器を前記第２収容空間の閉塞位置、及び開放位置にそれぞれ維持する係合突起が設けられている、請求項１乃至４のいずれか一項に記載のコンパクト容器。
【発明の詳細な説明】
【技術分野】
【０００１】
本発明は、収容空間を上下に積層したコンパクト容器に関する。
【背景技術】
【０００２】
化粧料用のコンパクト容器においては、収容空間を上下に２層積層し、上面と下面のそれぞれに蓋体を設けて各収容空間内の内容物を利用可能に構成したものが知られている（例えば、特許文献１参照）。
【先行技術文献】
【特許文献】
【０００３】
【特許文献１】特開２０１４−２３３３２７号公報
【発明の概要】
【発明が解決しようとする課題】
【０００４】
特許文献１に記載のコンパクト容器では、上側の収容空間内の内容物を利用した後、下側の収容空間内の内容物を利用する場合、コンパクト容器全体を上下に反転させてから下側の蓋体を開ける必要がある。そのため、下側の収容空間内の内容物の取り出しが煩雑になる。
【０００５】
本発明の目的とするところは、収容空間を上下に積層しつつ、内容物の取り出しが容易なコンパクト容器を提供することにある。
【課題を解決するための手段】
【０００６】
上記課題を解決するため、本発明に係るコンパクト容器は、
内容物の第１収容空間を形成する上容器と、
該上容器の下方に設けられ内容物の第２収容空間を形成する下容器と、
前記第１収容空間を開閉可能に上方から覆う蓋体と
を有するコンパクト容器であって、
前記上容器は前記下容器に対して水平方向にスライド可能であり、該スライドにより前記第２収容空間は上方に開放され、
前記上容器、前記下容器、及び前記蓋体には、それぞれ磁石又は強磁性体部材が配設され、
前記上容器及び前記下容器の少なくとも一方には前記磁石が配設され、
前記上容器及び前記蓋体の少なくとも一方には前記磁石が配設されている、コンパクト容器である。
【０００７】
また、前記第１収容空間は、前記蓋体を後部に設けた回動軸周りに回動させて後方に移動させることにより開放状態となり、
前記第２収容空間は、前記上容器が前記下容器に対して後方へスライドすることにより開放状態となることが好ましい。
【０００８】
また、前記上容器、前記下容器、及び前記蓋体にそれぞれ配設される前記磁石又は前記強磁性体部材は、第１収容空間Ｓ１及び第２収容空間Ｓ２の閉塞時において、平面視で重なりが最大となるように配設されていることが好ましい。
【０００９】
また、前記上容器、前記下容器、及び前記蓋体の少なくともいずれかに配設されている前記磁石は、上下方向に着磁されていることが好ましい。
【００１０】
また、前記上容器の底部には、前記下容器の上面から突出する突部にアンダーカット係合することにより、前記上容器を前記第２収容空間の閉塞位置、及び開放位置にそれぞれ維持する係合突起が設けられていることが好ましい。
【発明の効果】
【００１１】
本発明によれば、収容空間を上下に積層しつつ、内容物の取り出しが容易なコンパクト容器を提供することができる。
【図面の簡単な説明】
【００１２】
【図１】本発明の一実施形態であるコンパクト容器の保管時における（ａ）平面図、（ｂ）（ａ）におけるＡ−Ａ断面図、（ｃ）（ｂ）におけるＣ部詳細図である。
【図２】図１（ａ）におけるＢ−Ｂ断面図である。
【図３】本発明の一実施形態であるコンパクト容器の保管時における磁石側から見た側面図である。
【図４】本発明の一実施形態であるコンパクト容器の保管時における（ａ）蓋体の平面図、（ｂ）上容器の平面図、（ｃ）下容器の平面図である。
【図５】本発明の一実施形態であるコンパクト容器において下容器開放時の（ａ）平面図、（ｂ）（ａ）におけるＤ−Ｄ断面図である。
【発明を実施するための形態】
【００１３】
以下、図面を参照して、本発明の一実施形態であるコンパクト容器１００を詳細に説明する。
【００１４】
図１〜図４は、本実施形態に係るコンパクト容器１００の保管時における状態を示す図である。なお、本明細書、特許請求の範囲、要約書および図面において、「上側」とは、図１（ｂ）における蓋体４０を設けた側を指し、「下側」とは、下容器１０を設けた側を指す。また、「前側」とは、磁石１０Ｍ，３０Ｍ，４０Ｍを設けた側（図１（ｂ）における左側）を指し、「後側」とは、蓋体回動部４９を設けた側を指す。また、本実施形態において「左右方向」とは、図１（ｂ）における紙面に垂直な方向を指す。
【００１５】
図１（ａ）は、本発明の一実施形態であるコンパクト容器１００の保管時における平面図であり、図１（ｂ）は、図１（ａ）における断面Ａ−Ａによる断面図である。コンパクト容器１００は、図１（ａ）に示すように、やや前後方向に長い矩形形状を有する容器である。コンパクト容器１００は、図１（ｂ）に示すように、化粧料等の内容物を収容する第１収容空間Ｓ１を有する上容器３０と、上容器３０の下方に設けられ、化粧用筆２８、パフ等の内容物を収容する第２収容空間Ｓ２を有する下容器１０と、第１収容空間Ｓ１を開閉可能に上方から覆う蓋体４０とを備える。
【００１６】
上容器３０は、周囲を覆う周壁３１と、周壁３１の下端に連なる底壁３２と、周壁３１から外側に延びるフランジ部３３と、フランジ部３３の外側端から下方に垂下して上容器３０の外形を形成する外壁３４とを有する。周壁３１と底壁３２により定まる空間内には中皿３５が配設されており、中皿３５により第１収容空間Ｓ１が形成されている。本実施形態において、中皿３５には、ファンデーションやアイシャドウ等の化粧料が収容されている。前側部分における外壁３４と周壁３１との間の領域には、図１（ｂ）及び図４（ｂ）に示すように磁石３０Ｍが配置されている。本実施形態において磁石３０Ｍは、上側がＮ極、下側がＳ極となるように上下方向に着磁されている。そして磁石３０Ｍは、図３及び図４（ｂ）等に示すように、リブ３４ｂ、３４ｃと外壁３４との間の領域に嵌合固定されている。上容器３０は、図２に示すように、底壁３２の下面から左右一対のレール柱３６が垂下し、レール柱３６の下端から中心に向かってレール係合部３７が突出している。このレール係合部３７が後述する下容器１０のレール係合部２７に係合することにより、上容器３０は、下容器１０に対して上下左右方向に拘束されつつ、前後方向（図２の紙面に垂直方向）にのみスライド可能となるように構成されている。レール柱３６及びレール係合部３７の前後には、図１（ｂ）に示すようにストッパ３２ａが設けられており、上容器３０は、下容器１０のレール柱２６及びレール係合部２７がこのストッパ３２ａに当接するまで、下容器１０に対して前後方向にスライド移動可能に構成されている。
【００１７】
図１（ｂ）において、外壁３４の後方には、枢支軸支持部３９が配設されている。この枢支軸支持部３９には枢支軸４７が取り付けられており、後述する蓋体４０側の蓋体回動部４９がこの枢支軸４７周りに回動することにより、蓋体４０は後方に移動して開放し、利用者は、第１収容空間Ｓ１内の内容物を利用することができる。
【００１８】
下容器１０は、周囲を覆う周壁１１と、周壁１１の下端に連なる底壁１２とを有する下容器本体１３と、周壁１１と底壁１２で定まる空間内に配設された中枠部材２０とを備える。中枠部材２０は、周壁１１の内側において第２収容空間Ｓ２を取り囲む側壁２２と、第２収容空間Ｓ２の上端を定める上壁２３と、側壁２２の前側部分の上端から後方且つ下方に向かって円筒面状に延びて底壁１２へと接する傾斜面２４と、上壁２３から側壁２２を越えて更に外側へと延びるフランジ部２５とを備える。中枠部材２０は、フランジ部２５の外側端が周壁１１の上端部に設けられた嵌合溝１１ａに載置され、側壁２２の下端部と下容器本体１３の底壁１２を超音波接着することにより固定されている。上壁２３の前側領域には開口部２３ａが設けられており、利用者は、後述するように下容器１０に対して上容器３０を後方にスライドさせて第２収容空間Ｓ２の上方を開放させた後、第２収容空間Ｓ２内に収容されている、例えば化粧用筆２８等を傾斜面２４に沿って容易に取り出して使用することができる。
【００１９】
図２に示すように、下容器１０の上壁２３の上面から左右一対のレール柱２６が上方に向かって延びており、レール柱２６の上端から左右方向外側に向かってレール係合部２７が突出している。このレール係合部２７が上述の上容器３０のレール係合部３７に係合することにより、上容器３０は、下容器１０に対して上下左右方向に拘束され、前後方向（図２の紙面に垂直方向）にのみスライド可能となるように構成されている。
【００２０】
前側部分における周壁１１と側壁２２との間の領域には、図１（ｂ）及び図４（ｃ）に示すように磁石１０Ｍが配置されている。本実施形態において磁石１０Ｍは、上側がＮ極、下側がＳ極となるように上下方向に着磁されている。そして磁石１０Ｍは、図３及び図４（ｃ）等に示すように、リブ１１ｂ、１１ｃと周壁１１との間の領域に嵌合固定されている。
【００２１】
図３に示すように、上容器３０の磁石３０Ｍ、及び下容器１０の磁石１０Ｍは、いずれも上側がＮ極になるように上下方向に着磁されている。そして、磁石１０Ｍ，３０Ｍは、平面視で重なり合うように上下配置されている。従って、図１〜図４に示すコンパクト容器１００の保管時の状態において、上容器３０を下容器１０に対して水平方向にスライドさせようとすると、磁石１０Ｍ、３０Ｍが互いに引き合い、平面視で重なり部分が大きくなるように戻ろうとする。従って、上容器３０が下容器１０の開口部２３ａを閉塞した状態を維持することができる。
【００２２】
蓋体４０は、第１収容空間Ｓ１を上方から覆う蓋体天壁４３と、蓋体天壁４３の外側端から垂下する蓋体周壁４１とを備える。本実施形態の例では、蓋体天壁４３の下面には、鏡４８が設けられている。鏡４８は、蓋体天壁４３の下面に設けられた蓋体嵌合部４３ａに嵌合することにより蓋体４０に接着されている。
【００２３】
蓋体周壁４１の前側部分の後方には、図１（ｂ）、図３、及び図４（ａ）に示すように磁石４０Ｍが配置されている。本実施形態において磁石４０Ｍは、上側がＮ極、下側がＳ極となるように上下方向に着磁されている。そして磁石４０Ｍは、図１及び図４（ａ）等に示すように、押さえ部材４３ｂによって蓋体周壁４１に対して押圧され、固定されている。
【００２４】
図３に示すように、上容器３０の磁石３０Ｍ、及び蓋体４０の磁石４０Ｍは、いずれも上側がＮ極になるように上下方向に着磁されている。そして、磁石４０Ｍ，３０Ｍは、平面視で重なり合うように上下配置されている。従って、図１〜図４に示すコンパクト容器１００の保管時の状態において、蓋体４０を上容器３０に対して上方に引き離して開放しようとすると、磁石４０Ｍ、３０Ｍが互いに引き合うため、蓋体４０が上容器３０の第１収容空間Ｓ１を閉塞した状態を維持することができる。
【００２５】
後側の蓋体周壁４１の下方には、蓋体回動部４９が一体に設けられている。磁石３０Ｍ，４０Ｍ間に作用する引力に抗して蓋体４０の前側を上容器３０から持ち上げ、蓋体回動部４９を上容器３０側に取り付けられている枢支軸４７周りに回動させると、蓋体４０は後方に移動して第１収容空間Ｓ１の上方を開放することができる。
【００２６】
次に、本実施形態に係るコンパクト容器１００の使用方法について図１〜図５を用いて説明する。
【００２７】
まず、利用者は、図１（ｂ）の状態から下容器１０を手のひらで把持した状態で上容器３０の外壁３４を後方に向けて押圧する。この押圧力が磁石３０Ｍ、１０Ｍ間の引力、及び図１（ｃ）に示す後側の係合突起３８ａが周壁１１の突部１１ｄを乗り越える力の総和を上回ると、上容器３０は蓋体４０と共に、下容器１０に対して後方へとスライドする。
【００２８】
図５（ｂ）は、上容器３０が蓋体４０と共に下容器１０に対して後方へとスライドし、レール柱２６及びレール係合部２７が前側のストッパ３２ａに当接している状態を示している。すなわち、上容器３０及び蓋体４０が、下容器１０に対して最も後方まで移動した状態である。しかも、前側の係合突起３８ｂが周壁１１の突部１１ｄを乗り越えて後方に移動しており、係合突起３８ｂが容易に前方に移動することがない。従って、上容器３０及び蓋体４０は、図５（ｂ）の状態、すなわち上壁２３の開口部２３ａが外部に開放された状態に維持される。そのため、利用者は、第２収容空間Ｓ２内に収容された化粧用筆２８等の内容物を傾斜面２４に沿って容易に取り出して使用することができる。
【００２９】
利用者は、第２収容空間Ｓ２から内容物を取り出した後、上容器３０及び蓋体４０を再び図１（ａ），（ｂ）の状態に戻した後、今度は、蓋体４０を開放する。蓋体４０の開放は、蓋体周壁４１を把持し、磁石４０Ｍ、３０Ｍ間の引力に抗して蓋体４０を上方に持ち上げることにより行われる。蓋体４０を持ち上げる力が磁石４０Ｍ、３０Ｍ間の引力を上回ると、蓋体４０が枢支軸４７周りに回動し後方へと移動するため、第１収容空間Ｓ１の上方が開放される。利用者は、第２収容空間Ｓ２内から取り出した化粧用筆２８を用いて、第１収容空間Ｓ１内の化粧料にアクセスして使用することができる。
【００３０】
なお、本実施形態では、上容器３０、下容器１０、及び蓋体４０の全てに磁石３０Ｍ，１０Ｍ，４０Ｍを配置するように構成したが、この態様には限定されない。例えば、上容器３０のみに磁石３０Ｍを配置し、下容器１０及び蓋体４０には、鉄、ニッケル等の強磁性体部材を配置するようにしてもよい。この場合にも上容器３０の磁石３０Ｍと下容器１０の強磁性体部材との間に引力が作用するし、上容器３０の磁石３０Ｍと蓋体４０の強磁性体部材との間にも引力が作用する。従って、上容器３０、下容器１０、及び蓋体４０の全てに磁石３０Ｍ，１０Ｍ，４０Ｍを配置した場合と同様の効果を得ることができる。
【００３１】
また、下容器１０と蓋体４０のみに磁石１０Ｍ，４０Ｍを配置し、上容器３０に強磁性体部材を配置してもよい。この場合にも、上容器３０の強磁性体部材と下容器１０の磁石１０Ｍとの間に引力が作用するし、上容器３０の強磁性体部材と蓋体４０の磁石４０Ｍとの間にも引力が作用する。従って、上容器３０、下容器１０、及び蓋体４０の全てに磁石３０Ｍ，１０Ｍ，４０Ｍを配置した場合と同様の効果を得ることができる。なお、磁石１０Ｍ，４０Ｍの着磁方向は揃えることが好ましい。例えば、磁石１０Ｍ，４０Ｍを共に上側がＮ極になるように着磁する等である。
【００３２】
また、本実施形態では、磁石又は強磁性体部材を、前側の中央部に配置しているが、この態様には限定されない。例えば、磁石及び強磁性体部材は、前側の左右端部などに配置してもよい。また、磁石及び強磁性体部材は、例えば前側ではなく、前後方向中央寄りにおける左右端部などに配置してもよく、平面視で第１収容空間Ｓ１及び第２収容空間Ｓ２の周囲のさまざまな領域に配置することができる。
【００３３】
また、本実施形態では、蓋体４０が枢支軸４７周りに回動するように構成したが、この態様には限定されない。例えば、上容器３０と蓋体４０がヒンジを介して一体成形されていてもよい。この場合、ヒンジ部が回動軸となる。
【００３４】
また、本実施形態では、下容器１０に対して上容器３０が後方にスライドし、上容器３０に対して蓋体４０が回動しつつ後方に移動して開放するように構成したが、この態様には限定されない。例えば、下容器１０に対して上容器３０が後方にスライドし、上容器３０に対して蓋体４０が左右方向に移動して開放するように構成してもよい。
【００３５】
また、本実施形態では、第１収容空間Ｓ１に化粧料を収容すると共に、第２収容空間Ｓ２に化粧用筆２８等を収容するように構成したが、この態様には限定されない。例えば、第１収容空間Ｓ１に加えて第２収容空間Ｓ２にも化粧料を収容してもよく、内容物は限定されない。
【００３６】
以上述べたように、本実施形態では、上容器３０を開閉可能な蓋体４０で覆うことにより上容器３０内の第１収容空間Ｓ１にアクセス可能にすると共に、下容器１０に対して上容器３０を水平方向にスライドさせることにより、下容器１０内の第２収容空間Ｓ２にアクセス可能な構成とした。これによって、コンパクト容器１００の上下を反転させることなく、第１収容空間Ｓ１及び第２収容空間Ｓ２の双方に容易にアクセスすることができる。
【００３７】
また、本実施形態では、上容器３０、下容器１０、及び蓋体４０にそれぞれ磁石３０Ｍ，１０Ｍ，４０Ｍ又は強磁性体部材を配置し、磁石の引力によって上容器３０と下容器１０との相対位置、並びに上容器３０と蓋体４０との相対位置を初期位置に維持するようにした。これによって、側面にフック等の係合部材を配置する必要がないため、コンパクト容器１００の美観を向上させることができる。
【００３８】
また、本実施形態では、蓋体４０を後部に設けた枢支軸４７周りに回動させて後方に移動させることにより第１収容空間Ｓ１が開放状態となり、上容器３０を下容器１０に対して後方へスライドさせることにより第２収容空間Ｓ２が開放状態となるように構成した。これによって、同じ後方への移動により第１収容空間Ｓ１及び第２収容空間Ｓ２をそれぞれ開放状態とすることができるので、単純な操作で２つの収容空間Ｓ１，Ｓ２に個別にアクセスすることができる。
【００３９】
また、本実施形態では、上容器３０、下容器１０、及び蓋体４０に配置した磁石又は強磁性体部材が、第１収容空間Ｓ１及び第２収容空間Ｓ２の閉塞時において、平面視で重なりが最大となるように配置した。これにより、磁石による引力を最大化させて第１収容空間Ｓ１及び第２収容空間Ｓ２の閉塞状態を確実に維持することができる。
【００４０】
また、本実施形態では、磁石の着磁方向が上下方向になるように構成した。これによって、部材公差等に起因して磁石間距離、又は磁石と強磁性体部材との距離に誤差が生じても、確実に引力を生じさせて第１収容空間Ｓ１及び第２収容空間Ｓ２の閉塞状態を維持することができる。
【００４１】
また、本実施形態では、上容器３０の底部に係合突起３８ａ，３８ｂを設け、それらを下容器１０の上面から突出する突部１１ｄにアンダーカット係合させることで上容器３０を第２収容空間Ｓ２の閉塞位置、及び開放位置にそれぞれ維持できるようにした。これによって、利用者が、第２収容空間Ｓ２の開閉状態を触感により認知することができる。
【００４２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００４３】
１０      下容器
１０Ｍ    磁石
１１      周壁
１１ａ    嵌合溝
１１ｂ    リブ
１１ｃ    リブ
１１ｄ    突部
１２      底壁
１３      下容器本体
２０      中枠部材
２２      側壁
２３      上壁
２３ａ    開口部
２４      傾斜面
２５      フランジ部
２６      レール柱
２７      レール係合部
２８      化粧用筆
３０      上容器
３０Ｍ    磁石
３１      周壁
３２      底壁
３２ａ    ストッパ
３３      フランジ部
３４      外壁
３４ｂ    リブ
３５      中皿
３６      レール柱
３７      レール係合部
３９      枢支軸支持部
４０      蓋体
４０Ｍ    磁石
４１      蓋体周壁
４３      蓋体天壁
４３ａ    蓋体嵌合部
４３ｂ    押さえ部材
４７      枢支軸
４８      鏡
４９      蓋体回動部
１００    コンパクト容器
Ｓ１      第１収容空間
Ｓ２      第２収容空間
【図１】
2018140085.tif 000003
【図２】
2018140085.tif 000004
【図３】
2018140085.tif 000005
【図４】
2018140085.tif 000006
【図５】
2018140085.tif 000007